(57)【要約】【課題】効率的な作業性を確保しつつ常に確実な防水性能を確保し得る防水構造を実現した防水機能を有する機器を提供する。【解決手段】機器１に設けられた開口３ａに対して開閉可能に設けられた蓋部材２２と、蓋部材が機器開口を閉状態としたときに蓋部材と機器開口との間の水密状態を保持するために設けられたパッキング部材２３と、パッキング部材を蓋部材と共に挟んで固定するパッキング固定部材２４とを具備し、パッキング固定部材は蓋部材にネジ止め固定されるよう構成した。【選択図】図１
2009216948.tif 000002
【特許請求の範囲】
【請求項１】
防水機能を有する機器において、
上記機器に設けられた開口に対して開閉可能に設けられた蓋部材と、
上記蓋部材が上記機器開口を閉状態としたときに上記蓋部材と上記機器開口との間の水密状態を保持するために設けられたパッキング部材と、
上記パッキング部材を上記蓋部材と共に挟んで固定するパッキング固定部材と、
を具備することを特徴とする防水機能を有する機器。
【請求項２】
上記パッキング固定部材は、上記蓋部材にネジ止め固定されることを特徴とする請求項１に記載の防水機能を有する機器。
【請求項３】
上記パッキング部材は、周縁部に垂直に立つリップ部が形成されてなる平板部を有して形成され、
上記蓋部材が上記機器開口を閉状態としたときに、上記リップ部が上記機器開口の内縁部に形成されている環状の平面部に当接することで、上記蓋部材と上記機器開口との間を当該機器開口の全周にわたって水密状態にすることを特徴とする請求項１または請求項２に記載の防水機能を有する機器。
【発明の詳細な説明】
【技術分野】
【０００１】
この発明は、防水機能を有する機器、詳しくは防水機能を有する機器における蓋部材において確実な防水機能を確保し得る防水構造に関するものである。
【背景技術】
【０００２】
従来、防水機能を有するデジタルカメラ等の機器が種々実用化されている。
【０００３】
このような防水機能を有する機器において、開口部を覆う蓋部材の防水構造については、例えばパッキング部材と機器側の部材、例えば蓋部材とを接合するのには接着剤や両面粘着テープ等を使用していた。
【０００４】
また、特開平１１−３５２５６５号公報等によって開示されている手段では、パッキング部材を固定するために設けられたパッキング固定支持部に対してパッキング部材を配置した後、該パッキング固定支持部の先端部分をカシメることで、パッキング部材を固定支持部に対して固定している。この構成によれば、パッキング部材を機器に固定する際に接着剤や両面粘着テープ等を用いることなく、容易にパッキング部材を配設することができるというものである。
【特許文献１】特開平１１−３５２５６５号公報
【発明の開示】
【発明が解決しようとする課題】
【０００５】
ところが、パッキング部材を機器側の部材に接合するのに接着剤や両面粘着テープ等を用いるものでは、製造工程において接着剤の塗布ミスや塗布ムラ等、両面テープの貼着ズレ等が生じると、その部分から水漏れ等が生じ、防水性能が損なわれる可能性がある。つまり、このような形態のものでは、その防水性能は作業精度に依存することになる。
【０００６】
また、接着剤や両面テープ等を用いるものでは、塗布作業後、接着剤を硬化させるために所定の時間だけ放置する必要があったり、接着面や粘着テープの貼着面を洗浄する作業工程が必要になる場合もある。したがって、製造工程の作業性や効率が悪かったり、組立工数がかかるという問題点があった。
【０００７】
さらに、従来のように接着剤や両面粘着テープ等を用いてパッキング部材の接合を行った場合には、パッキング部材を交換する必要が生じたときには、パッキング部材のみでなく、これを接合した部材をも交換しなければならず、メンテナンス性が悪く、また修理コストもかかってしまうという問題点があった。
【０００８】
また、上記特開平１１−３５２５６５号公報によって開示されている手段は、支持部の先端部分をカシメることでパッキング部材を固定するようにしているのみであるので、常に確実に安定した状態でパッキング部材を固定し得るものではないという問題点がある。
【０００９】
本発明は、上述した点に鑑みてなされたものであって、その目的とするところは、製造工程における作業性に依存せずにかつ効率的で確実な作業性を確保しつつ、常に確実な防水性能を確保することのできる防水構造を実現した防水機能を有する機器を提供することである。
【課題を解決するための手段】
【００１０】
上記目的を達成するために、本発明による防水機能を有する機器は、機器に設けられた開口に対して開閉可能に設けられた蓋部材と、上記蓋部材が上記機器開口を閉状態としたときに上記蓋部材と上記機器開口との間の水密状態を保持するために設けられたパッキング部材と、上記パッキング部材を上記蓋部材と共に挟んで固定するパッキング固定部材と、を具備することを特徴とする。
【発明の効果】
【００１１】
本発明によれば、製造工程における作業性に依存せずにかつ効率的で確実な作業性を確保しつつ、常に確実な防水性能を確保することのできる防水構造を実現した防水機能を有する機器を提供することができる。
【発明を実施するための最良の形態】
【００１２】
以下、図示の実施の形態によって本発明を説明する。
【００１３】
本発明の一実施形態は、本発明を適用した防水機能を有する機器として、光学レンズ及び撮像素子等を用いて光学像を電子的な画像データとして撮影し記録し得るように構成されるデジタルカメラを例示するものである。
【００１４】
図１は、本発明の一実施形態のデジタルカメラを示す外観斜視図である。図２は、図１のデジタルカメラにおける開口蓋を開状態とした際の外観斜視図である。図３は、図１のデジタルカメラにおける開口蓋を取り出して拡大して示す要部拡大分解斜視図である。図４は、図１の［ＩＶ］−［ＩＶ］線に沿う断面図である。図５は、図１のデジタルカメラにおける開口蓋の変形例を示す断面図である。
【００１５】
まず、本実施形態のデジタルカメラの概略構成を、図１，図２を用いて以下に説明する。
【００１６】
本実施形態のデジタルカメラ１は、内部に設けられるカメラ本体４（図１，図２では図示せず。図４参照）と、このカメラ本体４の外面側を覆う外観部材とによって構成されており、その外形形状は、例えば略直方体形状に形成されている。
【００１７】
本デジタルカメラ１の外観部材は、当該デジタルカメラ１の前面側と上下面及び両側面を覆う前側カバー部材３と、この前側カバー部材３の前面に形成される開口（図示せず）を覆うように配置される前面カバー１１と、背面側を覆う後側カバー部材２と、底面側に設けられる底面開口３ａ（図２参照）を開閉する開口蓋２１等によって構成される。
【００１８】
なお、本実施形態においては、デジタルカメラ１を使用するときの姿勢を考慮して、本デジタルカメラ１の使用時に被写体に対向する側の面を該デジタルカメラ１の前面とし、撮影者が対面する側の面を該デジタルカメラ１の背面というものとする。また、撮影動作の際に操作すべき操作部材、例えばシャッターボタン等が配設されている側の面を上面とし、これに対向する面を底面とする。そして、本デジタルカメラ１の通常の使用時に両側に配置される面を側面というものとする。
【００１９】
前側カバー部材３には、被写体光の入射開口１９と、閃光発光装置からの発光を出射するストロボ開口２０とが形成されている。これらの入射開口１９とストロボ開口２０とには、通常光を透過させる透過性の平板部材、例えばアクリル樹脂やガラス等からなる保護部材が嵌め込まれている。そして、入射開口１９に対応するカメラ本体内部の所定部位には光学レンズユニット（特に図示せず）が配設されている。また、ストロボ開口２０に対応するカメラ本体内部の所定部位には閃光発光装置の発光部（特に図示せず）が配設されている。
【００２０】
開口蓋２１は、一端部がカメラ本体の角部（図１，図２の符号Ａ参照）に対して軸部材２７（後述の図３参照）によって回動自在に軸支されており、この軸部材２７を回転中心として図２に示す矢印Ｒ方向に回動するようになっている。そして、この開口蓋２１は、図１の状態としたときには底面開口３ａを閉状態とし、図２の状態としたときには底面開口３ａを開状態とすることができるようなっている。
【００２１】
カメラ本体の底面開口３ａの内部には、例えばカメラ本体に対して着脱式の充電式バッテリーや同様に着脱式のメモリカード等が配設されるようになっている。そして、開口蓋２１を開状態とすることで、これらのバッテリーやメモリカード等をカメラ本体に対して着脱することができるような構成となっている。
【００２２】
次に、本実施形態のデジタルカメラ１における開口蓋２１の詳細構成を、図３，図４を用いて以下に説明する。
【００２３】
開口蓋２１は、この開口蓋２１を閉状態としたときに本デジタルカメラ１の外観部材の底面側の一部を構成する蓋部材２２と、開口蓋２１が底面開口３ａを閉状態としたときに蓋部材２２と底面開口３ａとの間の水密状態を保持するためのパッキング部材２３と、このパッキング部材２３を蓋部材２２と共に挟んで固定するパッキング固定部材２４と、このパッキング固定部材２４を蓋部材２２にネジ止め固定するための複数のビス２５と、パッキング固定部材２４の上面開口を覆うために設けられる平板形状の蓋２６と、蓋部材２２の一端部に設けられ該開口蓋２１をカメラ本体に対して回動自在に軸支する軸部材２７とによって主に構成されている。
【００２４】
蓋部材２２は、一面に開口を有する箱型形状からなり、一端部２２ｄには軸部材２７が貫通して設けられている。この軸部材２７の両端部は、カメラ本体４の角部Ａに対して植設されている。これにより、蓋部材２２は、軸部材２７によって回動自在に軸支されている。
【００２５】
また、蓋部材２２の他端部には係止爪部材（図３では図示せず）が配設される係止部２２ｆが形成されている。この係止部２２ｆに配設される係止爪部材は、蓋部材２２が閉状態とされたときにカメラ本体４側の被係止部３ｂに係止されるようになっている。これにより、蓋部材２２の閉状態が保持されるようになっている。なお、係止爪部材等によって構成される蓋部材２２のカメラ本体４に対する係止機構自体については、本発明に直接関連する構成ではないので、この種の機器において一般に用いられる機構が適用されるものとして、その構成の詳細説明は省略する。
【００２６】
蓋部材２２の外観側とは反対側の面にある複数の平面からなる階段状の底面部２２ａ（底面形状）には、この蓋部材２２内に収納するパッキング部材２３の位置決めをするための複数（本実施形態では三つ）の支持部２２ｃが形成されている。この支持部２２ｃのそれぞれにはネジ孔２２ｂを有するボス状の凸状支持部２２ｃが形成されている。そして、支持部２２ｃの周囲には、これらを取り囲むように壁２２ｇが立っている。
【００２７】
パッキング部材２３は、一面に開口を有する箱型形状からなり、周縁部に垂直に立つリップ部２３ｃを形成した平板部２３ａを有して形成されている。平板部２３ａの形状は、上記蓋部材２２の内側部分に嵌まり込むように、蓋部材２２の上記床面形状と略同形状となるように形成されている。また、平板部２３ａには、複数（本実施形態では三つ）の孔部２３ｂが穿設されており、上記パッキング部材２３を蓋部材２２の内側部分に嵌め込んだとき、孔部２３ｂには、蓋部材２２の支持部２２ｃが挿入されるようになっている。これにより、パッキング部材２３は蓋部材２２に対して位置決め規定されるようになっている。
【００２８】
パッキング固定部材２４は、平板部２４ｂと、断面（図４参照）が凸形状に形成された凸状部２４ｃとによって形成されている。この凸状部２４ｃは、カメラ本体４の底面開口３ａのさらに内部に配設されるバッテリーやメモリカード等を収納するために形成される収納室（特に図示せず）の開口形状に合わせて形成されている。
【００２９】
凸状部２４ｃには、複数のビス２５に対応する複数の孔部２４ａが形成されており、この孔部２４ａが形成されている部位の断面は、図４に示すように、開口蓋２１を組み立てた状態としたときに、蓋部材２２の支持部２２ｃが嵌入される凹状部２４ｄが形成されている。
【００３０】
平板部２４ｂは、上記パッキング部材２３の内側部に嵌め込まれるように配置される。そして、各孔部２４ａは、パッキング固定部材２４がパッキング部材２３の内側部分に嵌め込まれた状態となったとき、パッキング部材２３の各孔部２３ｂ及び蓋部材２２の各支持部２２ｃに対して略合致する位置に形成されている。したがって、開口蓋２１を組み立てた状態としたときには、図３に示すように、複数のビス２５と各対応するネジ孔２２ｂとを螺合させることにより、パッキング部材２３は、蓋部材２２とパッキング固定部材２４との間に挟まれた状態で固定されるようになっている。
【００３１】
この状態において、パッキング固定部材２４の平板部２４ｂの底面側の外周縁部近傍には、図４に示すように断面が外方に向けて凸状に形成され、該パッキング固定部材２４の底面側の外周縁に沿って環状に形成される突起部２４ｅが形成されている。したがって、パッキング固定部材２４をパッキング部材２３の内側部分に嵌め込んだ状態とし、後述するように開口蓋２１を組み立てた状態としたとき、パッキング固定部材２４の突起部２４ｅは、パッキング部材２３の床面部に当接し、これを押圧する状態になる。これにより、パッキング固定部材２４とパッキング部材２３との間の水密状態が確保されるようになっている。
【００３２】
なお、図５に示す開口蓋の変形例では、パッキング固定部材２４の突起部２４ｅに加えて、さらに同形状の第２の突起部２４ｆを設けて構成している。この第２の突起部２４ｆは、断面形状は上述の突起部２４ｅと全く同形状であって、その配設位置が凹状部２４ｄ寄りの位置において環状に形成されている。
【００３３】
この第２の突起部２４ｆも、上述の突起部２４ｅと同様に、開口蓋２１を組み立てた状態としたときに、パッキング部材２３の床面部に当接してこれを押圧する。これにより、パッキング固定部材２４とパッキング部材２３との間の水密状態を確保するための構造は、突起部２４ｅ，第２の突起部２４ｆによる二重構造となる。
【００３４】
したがって、このような構成によれば、パッキング固定部材２４とパッキング部材２３との間の水密状態を、さらに確実なものとすることができる。
【００３５】
一方、パッキング固定部材２４の凸状部２４ｃの上面側には、平板形状の蓋２６が配設されるようになっている。そして、この開口蓋２１が閉状態とされたときには、この蓋２６は、上記収納室の開口を完全に塞ぐように配置されるようになっている。
【００３６】
なお、開口蓋２１を組み立てた状態としたとき、パッキング部材２３のリップ部２３ｃの高さ寸法は、図４に示すように、蓋部材２２の内壁面の高さ寸法よりも「大」となるように（高くなるように）設定されている。したがって、パッキング部材２３を蓋部材２２の内側に嵌め込んだ状態では、リップ部２３ｃの先端部分２３ｃａが蓋部材２２の外周壁よりも上方に位置するようになっている。
【００３７】
一方、カメラ本体４の側には、開口蓋２１を閉状態としたとき（蓋部材２２が底面開口３ａを閉状態としたとき）、パッキング部材２３のリップ部２３ｃが当接する部位であって底面開口３ａの内縁部の全周にわたって環状の平面部４ａ（図４参照）が形成されている。
【００３８】
したがって、開口蓋２１を閉状態としたときには、この平面部４ａに対してパッキング部材２３のリップ部２３ｃが押圧された状態で当接するようになっている。これにより、リップ部２３ｃが押圧変形されることで、リップ部２３ｃと平面部４ａとの間、即ち蓋部材２２と底面開口３ａとの間を、該底面開口３ａの全周にわたって水密状態が確保されるようになっている。
【００３９】
そして、開口蓋２１が閉状態にあるとき、上述の係止機構による係止状態を所定の手順で解除すると、開口蓋２１は、図２に示す矢印Ｒ方向における開方向へと回動し得る状態となる。これにより、底面開口３ａは開状態となる。
【００４０】
以上説明したように上記第１の実施形態によれば、防水機能を有する機器であるデジタルカメラ１のカメラ本体４に設けられる底面開口３ａに対して開口蓋２１を閉状態としたときの水密状態を確保する防水構造において、開口蓋２１は、蓋部材２２とパッキング部材２３とパッキング固定部材２４とからなり、パッキング部材２３を蓋部材２２とパッキング固定部材２４との間に挟んだ状態で、パッキング固定部材２４を蓋部材２２に対してネジ止め固定するように構成したので、パッキング部材２３の位置決めを確実に行なうことができると共に、作業性を向上させることができる。
【００４１】
また、パッキング部材２３の固定は、ネジ止め固定のみで確実に行なうことができるので、組み立て工程の効率化に寄与することができ、よって製造コストの低減化に寄与することができる。
【００４２】
さらに、パッキング部材２３が経年劣化等によって交換を要する場合においては、ネジの着脱作業のみで、パッキング部材２３の交換作業を容易に完了させることができる。したがって、接着剤等を用いた従来の手段に比べて、交換作業やメインテナンス性の向上に寄与することができると共に、パッキング部材２３のみの交換で済むので、蓋部材２２等、他の部材を無駄にすることなく、メンテナンス費用の低減化にも寄与することができる。
【００４３】
なお、上記一実施形態においては、防水機能を有する機器としてデジタルカメラを例示しているが、本発明を適用し得る機器としては、これに限ることはなく、例えばビデオカメラ，携帯電話，携帯型音楽プレーヤ，ＩＣレコーダ等、主に携帯して使用され防水機能を有する電子機器に対しても全く同様に適用することができる。
【００４４】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４５】
【図１】本発明の一実施形態のデジタルカメラを示す外観斜視図。
【図２】図１のデジタルカメラにおける開口蓋を開状態とした際の外観斜視図。
【図３】図１のデジタルカメラにおける開口蓋を取り出して拡大して示す要部拡大分解斜視図。
【図４】図１の［ＩＶ］−［ＩＶ］線に沿う断面図。
【図５】図１のデジタルカメラにおける開口蓋の変形例を示す断面図。
【符号の説明】
【００４６】
１……デジタルカメラ
２……後側カバー部材
３……前側カバー部材
３ａ……底面開口
３ｂ……被係止部
４……カメラ本体
４ａ……平面部
１１……前面カバー
２１……開口蓋
２２……蓋部材
２２ａ……底面部
２２ｂ……ネジ孔
２２ｃ……支持部
２２ｄ……一端部
２２ｆ……係止部
２３……パッキング部材
２３ａ……平板部
２３ｂ……孔部
２３ｃ……リップ部
２３ｃａ……先端部分
２４……パッキング固定部材
２４ａ……孔部
２４ｂ……平板部
２４ｃ……凸状部
２４ｄ……凹状部
２４ｅ……突起部
２４ｆ……第２の突起部
２５……ビス
２６……蓋
２７……軸部材
【図１】
2009216948.tif 000003
【図２】
2009216948.tif 000004
【図３】
2009216948.tif 000005
【図４】
2009216948.tif 000006
【図５】
2009216948.tif 000007